(57)【特許請求の範囲】
【請求項１】
本体と、
該本体に対して突出入可能に設けられ、光ディスクを載置するトレイとを具備するディスクドライブ装置において、
前記トレイは、本体に対して着脱可能に設けられ、
前記トレイを突出および収納させるためのモータを有する駆動手段が、本体の一部を構成するメインシャーシ内に設けられ、
前記駆動手段を作動させてトレイを突出および収納させるイジェクトボタンがトレイの前面に設けられ、
トレイに装着され、前記イジェクトボタンによって押された方向へ突出し、且つ前記メインシャーシとは切り離されて設けられたレバーが設けられ、
トレイの底面には、突出入方向に沿って延びるラックギアが設けられ、
該ラックギアに噛合する駆動検出ギアが、メインシャーシ内に設けられ、
該駆動検出ギアの回転を検出するセンサが設けられ、
前記駆動検出ギアは、前記ラックギアと噛合する噛合ギア部と、イジェクトボタンにより前記レバーを介して押圧される押圧ギア部とから構成され、
トレイが閉じている状態からイジェクトボタンが押されると、イジェクトボタンは前記レバーを後方へ押し動かし、後方へ押し動かされたレバーは前記駆動検出ギアの押圧ギア部に当接して駆動検出ギアを回転させ、前記センサによって駆動検出ギアの回転が検出されると、駆動手段はトレイを突出させる方向にモータを駆動させ、
トレイが突出している状態からイジェクトボタンが押されると、トレイと一体となって前方に突出しているレバーは前記駆動検出ギアには届かず、イジェクトボタンが押された影響でトレイが収納方向に少し動き、トレイのラックギアに噛合している前記駆動検出ギアが回転し、前記センサによって駆動検出ギアの回転が検出されると、駆動手段はトレイを収納させる方向にモータを駆動させることを特徴とするディスクドライブ装置。
【発明の詳細な説明】
【０００１】
【発明の属する技術分野】
本発明は、光ディスクを載置するトレイが本体に対して突出入可能に設けられたディスクドライブ装置に関する。
【０００２】
【従来の技術】
ＣＤやＤＶＤなどの光ディスクを装着してデータの再生や記録を行なう装置としてディスクドライブ装置がある。ディスクドライブ装置へのディスクの装着は、ディスクを載置可能なトレイによって行なわれるものが多い。
トレイを有する従来のディスクドライブ装置を正面から見た外観を図８に示す。
【０００３】
ディスクドライブ装置１０の前面には、本体１１から前方に突出するトレイ１２、トレイ１２をイジェクトさせるイジェクトボタン１３、ディスクを再生するための再生ボタン１４、および音量を調整するボリューム１５等が設けられている。
図８のようにトレイ１２が本体１１内に収納されている状態から、ディスクの挿入あるいはすでに挿入されているディスクの取り出しを行なおうとする場合には、本体１１前面に配置されているイジェクトボタン１３を押すこととなる。
本図に示しているように、イジェクトボタン１３は、トレイ１２よりも本体１１前面の下方に配置されていることが多い。これは、部品配置や配線等の都合上、このような位置に設けることが適切なためである。
イジェクトボタン１３は、押されることで、ディスクドライブ装置１０の内部に設けられていてモータ等により自動的にトレイを動かす駆動手段（図示せず）を作動させる。
【０００４】
【発明が解決しようとする課題】
従来のイジェクトボタンはトレイの下方に配置していたので、トレイを突出した後にイジェクトボタンを押してトレイを収納しようとすると、トレイが邪魔でイジェクトボタンを操作することが困難であった。
そこで、トレイを収納する場合には、トレイの前面を押圧して少し押し込むことによってトレイ駆動機構を作動させ、トレイを収納できるようにしていた。
このような従来のトレイの突出入動作については、トレイを突出させるときと収納するときとでは異なる操作をせざるをえず、特に初心者にとっては操作がわかりづらいという課題があった。
【０００５】
また、ノートパソコンなどに内臓されているディスクドライブ装置では、トレイの前面にイジェクトボタンが配置されているが、トレイを収納する際にはイジェクトボタンは利用できず、手動でトレイを完全にドライブ装置内部まで押し込むようにしていた。
かかる構成であっても、トレイを突出させるときと収納するときとでは、イジェクトボタンの押下とトレイ全体の押し込みという異なる操作が必要とされており、操作性が悪いという課題があった。
【０００６】
そこで、本発明は上記課題を解決すべくなされ、その目的とするところは、トレイを突出入させるイジェクトボタンをトレイが突出しているときでも操作しやすい位置に配置し、且つトレイを突出させるときと収納するときで同一の操作で行なうことができるディスクドライブ装置を提供することにある。
【０００７】
【課題を解決するための手段】
すなわち、本発明にかかるディスクドライブ装置によれば、本体と、該本体に対して突出入可能に設けられ、光ディスクを載置するトレイとを具備するディスクドライブ装置において、前記トレイは、本体に対して着脱可能に設けられ、前記トレイを突出および収納させるためのモータを有する駆動手段が、本体の一部を構成するメインシャーシ内に設けられ、前記駆動手段を作動させてトレイを突出および収納させるイジェクトボタンがトレイの前面に設けられ、トレイに装着され、前記イジェクトボタンによって押された方向へ突出し、且つ前記メインシャーシとは切り離されて設けられたレバーが設けられ、トレイの底面には、突出入方向に沿って延びるラックギアが設けられ、該ラックギアに噛合する駆動検出ギアが、メインシャーシ内に設けられ、該駆動検出ギアの回転を検出するセンサが設けられ、前記駆動検出ギアは、前記ラックギアと噛合する噛合ギア部と、イジェクトボタンにより前記レバーを介して押圧される押圧ギア部とから構成され、トレイが閉じている状態からイジェクトボタンが押されると、イジェクトボタンは前記レバーを後方へ押し動かし、後方へ押し動かされたレバーは前記駆動検出ギアの押圧ギア部に当接して駆動検出ギアを回転させ、前記センサによって駆動検出ギアの回転が検出されると、駆動手段はトレイを突出させる方向にモータを駆動させ、トレイが突出している状態からイジェクトボタンが押されると、トレイと一体となって前方に突出しているレバーは前記駆動検出ギアには届かず、イジェクトボタンが押された影響でトレイが収納方向に少し動き、トレイのラックギアに噛合している前記駆動検出ギアが回転し、前記センサによって駆動検出ギアの回転が検出されると、駆動手段はトレイを収納させる方向にモータを駆動させることを特徴としている。
この構成を採用することによって、トレイの突出時であってもトレイ前面にあるイジェクトボタンを押すことで、イジェクトボタンが直接移動検出手段を操作しなくともトレイ全体が移動して駆動手段によるオートローディングが行なわれる。このように、トレイを突出させる際と収納する際とで、とにかくイジェクトボタンを押すという同一の操作で自動的にトレイの突出入を行なうことができる。
また、イジェクトボタンの後方側に設けられたレバーは、メインシャーシとは切り離されて設けられており、トレイがメインシャーシと係合している部分は、ラックギア部分だけである。そして、本発明によるイジェクトボタンは、トレイに設けられていてトレイとメインシャーシとの間では電気的な接続がなく、電気配線が設けられていないので、トレイのメインシャーシからの着脱はきわめて簡単に行なうことが可能である。このように、トレイは、本体に対して着脱可能に設けられているので、トレイやディスクドライブ装置内部等の修理などが容易に行える。
【０００８】
【発明の実施の形態】
以下、本発明の好適な実施の形態を添付図面に基づいて詳細に説明する。
図１にディスクドライブ装置の分解斜視図を示し、図２にトレイが収納されているディスクドライブ装置の平面図を示し、図３にトレイが突出しているディスクドライブ装置の平面図を示す。
まず、これらの図面に基づいてディスクドライブ装置の全体構造について説明する。
【０００９】
ディスクドライブ装置２０は、本体に、ディスクを載置するトレイ２２が突出入するように設けられている。ただし、本明細書中の図面では本体の代わりに本体の一部を構成しているメインシャーシ２１を示している。
メインシャーシ２１内には、トレイ２２を人手によらず自動的に突出入（オートローディング）させるための駆動手段２４が設けられている。駆動手段２４は、モータ２５と、該モータ２５の駆動力をトレイ２２へ伝達するための複数枚のギア３１，３３と、トレイ２２に噛合するギア３３とから構成されている。
【００１０】
トレイ２２は、ほぼ中央部にディスクを収容するための凹みであるディスク収容部２６が形成されている。
トレイ２２の前面には、化粧板としての役割を有するトレイマスク２８が装着される。このトレイマスク２８に、トレイ２２を突出・収納するために駆動手段２４を作動させるイジェクトボタン３０が設けられている。
イジェクトボタン３０には、トレイ２２の移動を検出する移動検出手段４２が連結されて設けられている。
移動検出手段４２は、イジェクトボタン３０の押す動作を直接伝達させるレバー３２と、レバー３２に押動される駆動検出ギア３８と、駆動検出ギア３８の回転を検出するセンサ４０とを有している。
【００１１】
トレイ２２の底面には、幅方向の両端にトレイ２２の突出入方向に沿って延びる２つのラックギア４４，４６が設けられている。
２つのラックギアのうち、駆動手段２４が配置されている側において設けられたラックギア４４は、歯がトレイ内方に向くように設けられている。このラックギア４４には、駆動手段２４のギア３３が噛合する。ギア３３が回転することによってラックギア４４がギア３３の回転力をトレイ２２の突出入方向への移動に変換する。
【００１２】
ラックギア４６は、移動検出手段４２が設けられている側に形成されている。ラックギア４６の歯は、下方に向けて突出するように形成されている。
ラックギア４６には、移動検出手段４２の駆動検出ギア３８が噛合している。ラックギア４６のトレイ２２の突出入方向への移動が駆動検出ギア３８の回転へ変換される。
【００１３】
次に、上述してきた移動検出手段４２の各構成について詳細に説明していく。
まず駆動検出ギアについて、図４に基づいて説明する。
駆動検出ギア３８は、中心に設けられた回転軸４８を中心にフリーに回転可能となるように、メインシャーシ２１内に設けられている。
駆動検出ギア３８は、トレイ２２のラックギア４６と噛合する噛合ギア部３８ａと、イジェクトボタン３０の動作によって押圧される押圧ギア部３８ｂとの２つの部分から構成されている。
噛合ギア部３８ａは、押圧ギア部３８ｂよりも大径であって、ラックギア４６と噛み合うことができるような歯が設けられている。一方、押圧ギア部３８ｂは、他のギアと噛合する必要がなく、イジェクトボタン３０から延びるレバー３２が当接する程度の大きさの歯３９が複数枚設けられている。
また、噛合ギア部３８ａには、後述するセンサ４０によて回転を検出するためのスリット３７が形成されている。
【００１４】
次に、図２で示した平面図のＡ−Ａ切断図においてＣ部分の拡大図を図５に、図２のＢ−Ｂ切断図においてＣ部分の拡大図を図６に示し、図３で示した平面図のＢ−Ｂ切断図におけるＤ部分の拡大図を図７に示す。
図５では、イジェクトボタン３０の駆動検出手段４２への連結構造について図示している。
イジェクトボタン３０の後方には、後方に延びるレバー３２の一端部３２ａが当接して設けられている。レバー３２は、トレイ２２の下面に取り付けられたケース３４内に収納され、これによりトレイ２２に設けられている。
【００１５】
ケース３４内のレバー３２の周囲には、スプリング３６が装着されている。スプリング３６は、ケース３４の後方側の内壁面とレバー３２の突起部３２ｃとの間に保持され、レバー３２を常時前方側（イジェクトボタン方向）へ付勢させている。
レバー３２の他端部３２ｂは、イジェクトボタン３０がレバー３２を押したら駆動検出ギア３８の押圧ギア部３８ｂの歯３９に当接するような位置に配置されている。
【００１６】
駆動検出ギア３８の押圧ギア部３８ｂの下方には、駆動検出ギア３８の回転を検出するためのセンサ４０が設けられている。センサ４０は、磁気を検出するＭＲセンサが用いられている。
そして、駆動検出ギア３８は、磁粉が付着されているかまたは駆動検出ギア３８の原材料に磁粉が混入されて形成されている。
このため、駆動検出ギア３８が回転すると、駆動検出ギア３８の噛合ギア部３８ａに形成されているスリット３７がセンサ４０に対して磁界の強弱をつけるので、センサ４０が駆動検出ギア３８の回転を検出することができる。
【００１７】
図６および図７には、トレイ２２と駆動検出ギア３８との連結構造について図示している。
上述してきたように、トレイ２２のラックギア４６に、駆動検出ギア３８の噛合ギア部３８ａが噛合するように駆動検出ギア３８が設けられている。
駆動検出ギア３８は、トレイ２２が駆動手段２４によって突出入することによって、トレイ２２の動作に伴って回転する。
なお、図６，図７ではイジェクトボタン３０は省略されている。
【００１８】
続いて、上述してきた図面全てを参考として、ディスクドライブ装置の動作について説明する。
まず、トレイ２２が閉じている状態からトレイ２２を突出させる動作について説明する。
トレイ２２を突出させるには、まず操作者は、イジェクトボタン３０を押す。イジェクトボタン３０が押されることにより、イジェクトボタン３０はレバー３２をスプリング３６の付勢力に抗して後方へ押し動かす。
後方へ押し動かされたレバー３２は、駆動検出ギア３８の押圧ギア部３８ｂの歯３９に当接し、駆動検出ギア３８を回転させる。
駆動検出ギア３８の回転は、センサ４０によって検出される。
【００１９】
センサ４０によって駆動検出ギア３８が回転したことは、ＣＰＵなどから構成される制御部（図示せず）に伝達される。
制御部では、トレイ２２が閉じている状態で駆動検出ギア３８が回転したことにより、トレイを突出すべき突出駆動信号を駆動手段２４に出力する。突出駆動信号を受けた駆動手段２４は、モータ２５をトレイ２２を突出させる方向に回転させる。
トレイ２２の突出中において、センサ４０は駆動検出ギア３８の回転を測定し、１回転毎に回転信号として制御部に出力する。制御部では、センサ４０からの回転信号を受けて現在何回転しているかをカウントして、トレイ２２の突出がトレイ２２の予め決められた突出距離に達したか否かを判断する。
制御部は、センサ４０からの回転信号に基づいてトレイ２２が所定距離突出したと判断した場合には、駆動手段２４へ駆動の停止を命ずる。
こうしてトレイ２２の突出が終了する。
【００２０】
続いて、トレイが突出している状態からトレイを収納する場合について説明する。
まず、操作者は、トレイ２２のイジェクトボタン３０を押す。すると、イジェクトボタン３０は、レバー３２をスプリング３６の付勢力に抗して押し込むが、トレイ２２と一体になって前方に突出しているレバー３２は、駆動検出ギア３８の押圧ギア部３８ｂには届かない。
したがって、イジェクトボタン３０を押すことにより直接駆動検出ギア３８は回転しないが、イジェクトボタン３０が押された影響でトレイ２２全体が押され、トレイ２２が収納方向に少し動く。
【００２１】
トレイ２２全体が収納方向に少し動くと、トレイ２２のラックギア４６に噛合している駆動検出ギア３８も少し回転する。この駆動検出ギア３８の回転はセンサ４０によって検出される。駆動検出ギア３８のセンサによる回転は、制御部に伝達される。
制御部では、トレイ２２が突出している状態での駆動検出ギア３８の回転により、トレイを収納すべき収納駆動信号を駆動手段２４に出力する。収納駆動信号を受けた駆動手段２４は、モータ２５によってギア３１群を回転させ、ギア３３がラックギア４４を介してトレイ２２を収納するように駆動する。
センサ４０は駆動検出ギア３８の回転を測定し、制御部へ回転信号を出力している。そして、制御部ではセンサ４０からの回転信号を受けて現在何回転しているかをカウントして、トレイ２２が予め決められた収納位置に達したか否かを判断する。
制御部は、センサ４０からの信号に基づいてトレイ２２が所定位置に達したと判断した場合には、駆動手段２４へ駆動の停止を命ずる。
こうして、トレイ２２の収納動作が終了する。
【００２２】
また、上述してきた構成によれば、イジェクトボタン３０の後方側に設けられたレバー３２は、メインシャーシ２１とは切り離されて設けられており、トレイ２２がメインシャーシ２１と係合している部分は、２つのラックギア４４，４６部分だけである。そして、本発明によるイジェクトボタン３０は、トレイ２２に設けられていてトレイ２２とメインシャーシ２１との間では電気的な接続がなく、電気配線が設けられていないので、トレイ２２のメインシャーシ２１からの着脱はきわめて簡単に行なうことが可能である。
【００２３】
以上本発明につき好適な実施例を挙げて種々説明したが、本発明はこの実施例に限定されるものではなく、発明の精神を逸脱しない範囲内で多くの改変を施し得るのはもちろんである。
【００２４】
【発明の効果】
本発明に係るディスクドライブ装置によれば、トレイを突出させる際と収納する際とで、とにかくイジェクトボタンを押すという同一の操作で自動的にトレイの突出入を行なうことができる。
また、イジェクトボタンの後方側に設けられたレバーは、メインシャーシとは切り離されて設けられており、トレイがメインシャーシと係合している部分は、ラックギア部分だけである。そして、本発明によるイジェクトボタンは、トレイに設けられていてトレイとメインシャーシとの間では電気的な接続がなく、電気配線が設けられていないので、トレイのメインシャーシからの着脱はきわめて簡単に行なうことが可能である。このように、トレイは、本体に対して着脱可能に設けられているので、トレイやディスクドライブ装置内部等の修理などが容易に行える。
【図面の簡単な説明】
【図１】本発明に係るディスクドライブ装置の分解斜視図である。
【図２】トレイが収納されているところを示すディスクドライブ装置の平面図である。
【図３】トレイが突出しているところを示すディスクドライブ装置の平面図である。
【図４】駆動検出ギアの構造を示す斜視図である
【図５】図２のＡ−Ａ断面図において、Ｃ部分を拡大した拡大図である。
【図６】図２のＢ−Ｂ断面図において、Ｃ部分を拡大した拡大図である。
【図７】図３のＡ−Ａ断面図において、Ｄ部分を拡大した拡大図である。
【図８】従来のディスクドライブ装置の前面側を示す外観図である。
【符号の説明】
２０  ディスクドライブ装置
２１  メインシャーシ
２２  トレイ
２４  駆動手段
２５  モータ
２６  ディスク収容部
２８  トレイマスク
３０  イジェクトボタン
３１，３３  ギア
３２  レバー
３４  ケース
３６  スプリング
３７  スリット
３８  駆動検出ギア
３９  歯
４０  センサ
４２  駆動検出手段
４４，４６  ラックギア
４８  回転軸
【図１】
0003607874.tif 000002
【図２】
0003607874.tif 000003
【図３】
0003607874.tif 000004
【図４】
0003607874.tif 000005
【図５】
0003607874.tif 000006
【図６】
0003607874.tif 000007
【図７】
0003607874.tif 000008
【図８】
0003607874.tif 000009